(57)【特許請求の範囲】
【請求項１】
空気を送出する第１吹出部に連通する第１通路にプラスイオンを放出するイオン発生装置と、
空気を送出する第２吹出部に連通する第２通路にマイナス電荷に帯電した霧状の帯電微粒子水を放出する静電霧化装置と、
前記プラスイオン及び前記帯電微粒子水を送出する送風機と、
を備え、第１通路と第２通路との間に仕切板を設けるとともに、第１吹出部の近傍に第２吹出部を配置し、
前記プラスイオン及び前記帯電微粒子水を同時に送出する第１送出期間と、第１送出期間の経過後に前記イオン発生装置を停止して前記帯電微粒子水を送出する第２送出期間とを設けたことを特徴とするイオン送出装置。
【請求項２】
空気を送出する吹出口に連通する排気路にプラスイオンを放出するイオン発生装置と、
一端が前記排気路に連結される連通路にマイナス電荷に帯電した霧状の帯電微粒子水を放出する静電霧化装置と、
前記プラスイオン及び前記帯電微粒子水を送出する送風機と、
を備え、前記静電霧化装置が前記連通路の他端を塞ぐとともに前記静電霧化装置の放電電極が前記連通路に臨んで配され、
前記プラスイオン及び前記帯電微粒子水を同時に送出する第１送出期間と、第１送出期間の経過後に前記イオン発生装置を停止して前記帯電微粒子水を送出する第２送出期間とを設けたことを特徴とするイオン送出装置。
【請求項３】
第１送出期間と第２送出期間とを繰り返すことを特徴とする請求項１または請求項２に記載のイオン送出装置。
【請求項４】
前記静電霧化装置が放電電極と前記放電電極を冷却するペルチェ素子と前記ペルチェ素子に接する放熱フィンとを有し、前記送風機の駆動によって気流が流通する第２通路に前記放電電極が臨んで配されるとともに、第２通路に対して前記放電電極の上流で分岐して下流で合流する分岐路に前記放熱フィンが臨んで配されることを特徴とする請求項１に記載のイオン送出装置。
【請求項５】
請求項１〜請求項４のいずれかに記載のイオン送出装置を備えたことを特徴とする空気調節装置。
【請求項６】
請求項１〜請求項３のいずれかに記載のイオン送出装置を備えたことを特徴とする理美容機器。
【発明の詳細な説明】
【技術分野】
【０００１】
本発明は、静電霧化装置を備えたイオン送出装置及びそれを用いた空気調節装置、理美容機器に関する。
【背景技術】
【０００２】
特許文献１には静電霧化装置を備えた従来の空気清浄機が開示されている。この空気清浄機は筐体に吸込口及び吹出口を開口し、筐体内に吸込口と吹出口とを連通させる送風ダクトが設けられる。送風ダクト内にはシロッコファンから成る送風機が配される。送風機の上流側には塵埃を捕集するフィルタが配され、送風機の下流側には静電霧化装置が配される。
【０００３】
静電霧化装置は放電電極、対向電極及びペルチェ素子を備えている。放電電極は平板状の平板部と平板部に立設される円柱部とを有している。対向電極は円柱部の先端に対向した円筒状に形成される。ペルチェ素子は放電電極の平板部に接して配される。
【０００４】
ペルチェ素子に通電すると放電電極が冷却されるため、放電電極の表面に結露による水が生成される。次に、放電電極を負極として対向電極を正極とし、放電電極と対向電極との間に高電圧が印加される。これにより、放電電極にマイナスの電荷が集中し、水と対向電極との間にクーロン力が働いて表面張力を超えて水の分裂及び飛散が繰り返される。その結果、マイナス電荷に帯電した霧状の帯電微粒子水が生成される。
【０００５】
上記構成の空気清浄機において、送風機の駆動によって吸込口から送風ダクト内には室内の空気が取り込まれ、空気に含まれる塵埃がフィルタにより捕集される。塵埃を除去された空気には静電霧化装置により発生した帯電微粒子水が含まれ、吹出口から送出される。帯電微粒子水を含む空気によって室内の殺菌等を行うことができる。
【０００６】
また、特許文献２には静電霧化装置を備えた従来のヘアドライヤが開示される。このヘアドライヤは筐体に吸込口、第１吹出口及び第２吹出口を開口する。筐体内には吸込口に連通する送風ダクトが設けられ、送風ダクトは二方向に分岐する第１、第２通路の先端にそれぞれ第１、第２吹出口が設けられる。送風ダクト内には分岐前にプロペラファンから成る送風機が配される。第１通路にはヒータが配され、第２通路には静電霧化装置が配される。
【０００７】
上記構成のヘアドライヤにおいて、送風機の駆動によって吸込口から送風ダクト内には室内の空気が取り込まれ、第１、第２通路に分岐する。第１通路を流通する空気はヒータにより加熱され、第１吹出口から送出される。これにより、使用者の髪を乾燥させる。また第２通路には静電霧化装置により発生した帯電微粒子水が含まれ、第２吹出口から送出される。これにより、使用者近傍の殺菌及び髪の保湿を行うことができる。
【先行技術文献】
【特許文献】
【０００８】
【特許文献１】特開２０１１−３３２９３号公報（第４頁−第８頁、第６図）
【特許文献２】特開２００８−１２６１３９号公報（第５頁−第８頁、第１図）
【特許文献３】特開２０１０−２７４１２６号公報（第５頁−第８頁、第２図）
【発明の概要】
【発明が解決しようとする課題】
【０００９】
しかしながら、上記従来の空気清浄機によると、帯電微粒子水は約数十ｎｍの粒子径を有するため、空気分子に比して十分大きい。このため、吹出口から空気中に送出される帯電微粒子水の到達距離が短くなり、室内の全体に行き届かない場合がある。また、帯電微粒子水がマイナス電荷に帯電するため、室内のマイナス電荷に帯電した箇所に帯電微粒子水が反発して行き届かない。これにより、室内の殺菌効果を十分得ることができない問題があった。
【００１０】
また、上記従来のヘアドライヤによると、使用者の髪がマイナス電荷に帯電していると帯電微粒子水が反発して使用者から遠ざけられる。特に、帯電微粒子水がマイナス電荷に帯電するため、ヘアドライヤの使用によって使用者の髪にマイナス電荷が蓄積して新たに供給される帯電微粒子水が遠ざけられる。これにより、殺菌効果や保湿効果を十分得ることができない問題があった。
【００１１】
本発明は、帯電微粒子水による殺菌効果及び保湿効果を向上できるイオン送出装置及びそれを用いた空気調節装置、理美容機器を提供することを目的とする。
【課題を解決するための手段】
【００１２】
上記目的を達成するために本発明のイオン送出装置は、プラスイオンを発生して空気中に放出するイオン発生装置と、マイナス電荷に帯電した霧状の帯電微粒子水を発生して空気中に放出する静電霧化装置と、前記プラスイオン及び前記帯電微粒子水を送出する送風機とを備えたことを特徴としている。
【００１３】
この構成によると、イオン発生装置により発生したプラスイオンと静電霧化装置により発生した帯電微粒子水とが送風機により室内や使用者等に向けて送出される。マイナス電荷に帯電する帯電微粒子水は拡散するプラスイオンに引き寄せられて拡散する。また、マイナス電荷に帯電した領域はプラスイオンにより除電され、帯電微粒子水が導かれる。帯電微粒子水によって室内や使用者近傍の殺菌や保湿が行われる。
【００１４】
また本発明は、上記構成のイオン送出装置において、前記プラスイオン及び前記帯電微粒子水を同時に送出したことを特徴としている。この構成によると、粒子径の小さいプラスイオンが例えば、室内に拡散する。この時、室内のマイナス電荷に帯電した箇所がプラスイオンにより除電される。粒子径の大きい帯電微粒子水はプラスイオンに引き寄せられて拡散するとともに、プラスイオンにより除電された箇所に行き届く。
【００１５】
また本発明は、上記構成のイオン送出装置において、前記プラスイオン及び前記帯電微粒子水を同時に送出する第１送出期間と、第１送出期間の経過後に前記イオン発生装置を停止して前記帯電微粒子水を送出する第２送出期間とを設けたことを特徴としている。
【００１６】
この構成によると、第１送出期間でプラスイオンが例えば、室内に拡散するとともにマイナス電荷に帯電した箇所を除電する。第１送出期間及び第２送出期間で帯電微粒子水はプラスイオンに引き寄せられるとともに除電された箇所に行き届く。また、第１送出期間でプラスイオンが例えば、使用者に向けて送出されて使用者近傍のマイナス電荷を除電し、第１送出期間及び第２送出期間で帯電微粒子水が使用者近傍に導かれる。
【００１７】
また本発明は、上記構成のイオン送出装置において、前記静電霧化装置を停止して前記プラスイオンを所定期間送出する第１送出期間と、第１送出期間の経過後に前記イオン発生装置を停止して前記帯電微粒子水を送出する第２送出期間とを設けたことを特徴としている。
【００１８】
この構成によると、第１送出期間でプラスイオンが例えば、室内に拡散するとともにマイナス電荷に帯電した箇所を除電する。第２送出期間で帯電微粒子水はプラスイオンに引き寄せられて拡散するとともに除電された箇所に行き届く。また、第１送出期間でプラスイオンが例えば、使用者に向けて送出されて使用者近傍のマイナス電荷を除電し、第２送出期間で帯電微粒子水が使用者近傍に導かれる。
【００１９】
また本発明は、上記構成のイオン送出装置において、前記静電霧化装置が放電電極と前記放電電極を冷却するペルチェ素子と前記ペルチェ素子に接する放熱フィンとを有し、前記送風機の駆動によって気流が流通する送風ダクトに前記放電電極が臨んで配されるとともに、前記送風ダクトに対して前記放電電極の上流で分岐して下流で合流する分岐路に前記放熱フィンが臨んで配されることを特徴としている。
【００２０】
この構成によると、送風ダクトを流通する気流は放電電極の方向と分岐路とに分岐する。ペルチェ素子が駆動されると放電電極から放熱フィンに伝熱して分岐路を流通する気流に放熱される。これにより、冷却された放電電極の放電によって帯電微粒子水が送風ダクトに放出され、分岐路を流通する気流と合流して室内等に送出される。
【００２１】
また本発明の空気調節装置は、上記各構成のイオン送出装置を備えたことを特徴としている。この構成によると、イオン発生装置により発生したプラスイオンと静電霧化装置により発生した帯電微粒子水とが送風機により室内に向けて送出される。粒子径の小さいプラスイオンは室内に拡散し、マイナス電荷に帯電する帯電微粒子水はプラスイオンに引き寄せられて拡散する。
【００２２】
また本発明の理美容機器は、上記各構成のイオン送出装置を備えたことを特徴としている。この構成によると、使用者に向けてプラスイオンが送出されると、使用者近傍がマイナス電荷に帯電している場合に除電される。また、帯電微粒子の送出により使用者の近傍がマイナス電荷に帯電すると、プラスイオンによって除電される。その後、帯電微粒子水が送出され、使用者に帯電微粒子水が導かれる。
【発明の効果】
【００２３】
本発明によると、イオン発生装置により空気中に放出されたプラスイオンと静電霧化装置により発生した帯電微粒子水とを送風機により送出するので、空間中に拡散したプラスイオンや被照射体表面のプラスイオンに帯電微粒子水が引き寄せられる。また、マイナス電荷に帯電した領域がプラスイオンにより除電され、帯電微粒子水が行き届く。これにより、空間中や被照射体表面に帯電微粒子水が十分供給され、殺菌効果や保湿効果を向上することができる。
【図面の簡単な説明】
【００２４】
【図１】本発明の第１実施形態の空気清浄機を示す側面断面図
【図２】本発明の第１実施形態の空気清浄機のイオン送出装置を示す正面断面図
【図３】本発明の第２実施形態の空気清浄機のイオン送出装置を示す正面断面図
【図４】本発明の第３実施形態の空気清浄機のイオン送出装置を示す正面断面図
【図５】図４のＢ−Ｂ断面図
【図６】本発明の第４実施形態のヘアドライヤを示す斜視図
【図７】本発明の第４実施形態のヘアドライヤを示す正面図
【図８】本発明の第４実施形態のヘアドライヤの構成を示すブロック図
【発明を実施するための形態】
【００２５】
以下に本発明の実施形態を図面を参照して説明する。図１は第１実施形態の空気清浄機の側面断面図を示している。空気清浄機２０は筐体２１内にイオン送出装置１が配される。図２はイオン送出装置１の正面断面図を示し、図１は図２のＡ−Ａ断面図になっている。
【００２６】
筐体２１は背面に吸込口２が開口し、上面に吹出口３が開口する。筐体２１内に配されるイオン送出装置１は送風ダクト４、送風機５、静電霧化装置１０及びイオン発生装置１５を備えている。送風ダクト４は樹脂成形品により形成され、吸込口２と吹出口３とを連通させる。
【００２７】
送風機５はモータ５ａにより駆動されるシロッコファンにより形成され、吸気側を吸込口２に面して配置される。送風ダクト４は送風機５の上流側に吸気路４ａが形成され、下流側に排気路４ｂが形成される。
【００２８】
静電霧化装置１０は放電電極１１、対向電極１２、ペルチェ素子１３及び放熱フィン１４を備えている。放電電極１１は先端を排気路４ｂに臨む針状に形成され、底部が平板状に形成される。対向電極１２は環状に形成され、放電電極１１の先端の周囲に配される。放電電極１１と対向電極１２との間に高電圧を印加すると、放電電極１１がコロナ放電する。ペルチェ素子１３は放電電極１１の底部に一面を接して配され、放電電極１１を冷却する。放熱フィン１４はペルチェ素子１３の他面に接し、吸気路４ａに臨んで配される。
【００２９】
イオン発生装置１５は排気路４ｂに臨む針状の放電電極１６を有している。放電電極１６に高電圧を印加するとコロナ放電によりイオンを発生して空気中に放出する。
【００３０】
また、送風ダクト４内には吸込口２に面して塵埃を捕集するフィルタ２２が配されている。
【００３１】
上記構成の空気清浄機２０において、空気清浄機２０の運転が開始されると送風機５、が駆動されるとともに、イオン発生装置１５及び静電霧化装置１０が同時に駆動される。送風機５の駆動によって室内の空気が矢印Ｄ１に示すように吸込口２から送風ダクト４に流入する。送風ダクト４に流入した空気はフィルタ２２により塵埃が捕集され、排気路４ｂを流通する。
【００３２】
イオン発生装置１５の放電電極１６は交流波形またはインパルス波形から成る高圧の正電圧が印加され、コロナ放電する。これにより、空気中の水分が電離して水素イオン（Ｈ＋）が生じ、空気中の水分との結合によりクラスタ化して主としてＨ＋（Ｈ２Ｏ）ｍから成るプラスイオンが発生する。ここで、ｍは０または自然数である。プラスイオンは排気路４ｂに向けて放出される。
【００３３】
このプラスイオンの粒子径は水分子の数に応じて数オングストローム〜数ｎｍ程度である。また、放電電極１６の印加電圧はコロナ放電によって発生するオゾンが許容範囲（例えば、０．１ｐｐｍ）以下になるように設定される。
【００３４】
静電霧化装置１０が駆動されるとペルチェ素子１３が通電され、放電電極１１から放熱フィン１４に伝熱して吸気路４ａを流通する気流との熱交換により放熱される。これにより、放電電極１１が冷却され、放電電極１１の表面に結露による水が生成される。
【００３５】
次に、放電電極１１を負極として対向電極１２を正極とし、放電電極１１と対向電極１２との間に高電圧が印加される。これにより、放電電極１１にマイナスの電荷が集中し、水と対向電極１２との間にクーロン力が働いて表面張力を超えて水の分裂及び飛散が繰り返される。その結果、マイナス電荷に帯電した霧状の帯電微粒子水が生成され、排気路４ｂに放出される。帯電微粒子水は粒子径を数ｎｍ程度に形成すると容易に消滅するため、数十ｎｍ程度の粒子径に形成される。
【００３６】
これにより、排気路４ｂを流通する空気にプラスイオン及び帯電微粒子水が含まれ、吹出口３から矢印Ｄ２に示すように室内に向けて送出される。
【００３７】
プラスイオンは空気分子に比して同程度の粒子径を有するため、容易に拡散して室内の隅々に行き渡る。これにより、マイナス電荷に帯電する帯電微粒子水がプラスイオンに引き寄せられて室内の隅々に行き渡る。また、室内のマイナス電荷に帯電した箇所がプラスイオンにより除電され、帯電微粒子水が行き届く。そして、帯電微粒子水によって室内の殺菌が行われる。
【００３８】
本実施形態によると、イオン発生装置１５により空気中に放出されたプラスイオンと静電霧化装置１０により発生した帯電微粒子水とを送風機５により送出するので、室内に拡散したプラスイオンに帯電微粒子水が引き寄せられる。また、マイナス電荷に帯電した領域がプラスイオンにより除電され、帯電微粒子水が行き届く。これにより、室内に帯電微粒子水が十分供給され、殺菌効果を向上することができる。
【００３９】
次に、図３は第２実施形態の空気清浄機２０のイオン送出装置１を示す正面断面図である。説明の便宜上、前述の図１〜図２に示す第１実施形態と同一の部分は同一の符号を付している。本実施形態は静電霧化装置１０の配置が第１実施形態と異なっている。その他の部分は第１実施形態と同様である。
【００４０】
イオン送出装置１の送風ダクト４の排気路４ｂには連通路７が導出されている。静電霧化装置１０は連通路７の一端を塞ぎ、放電電極１１が連通路７に臨んで配される。また、放熱フィン１４は排気路４ｂの壁面を貫通して排気路４ｂに臨んで配される。
【００４１】
これにより、放熱フィン１４が排気路４ｂを流通する気流と熱交換して放電電極１１が冷却される。また、放電電極１１から発生する帯電微粒子水は連通路７を介して排気路４ｂに放出される。従って、第１実施形態と同様に室内の殺菌効果を向上させることができる。
【００４２】
次に、図４は第３実施形態の空気清浄機２０のイオン送出装置１を示す正面断面図である。説明の便宜上、前述の図１〜図２に示す第１実施形態と同一の部分は同一の符号を付している。本実施形態は静電霧化装置１０の配置及び排気路４ｂの構成が第１実施形態と異なっている。その他の部分は第１実施形態と同様である。
【００４３】
イオン送出装置１の送風ダクト４の排気路４ｂは仕切板６によって第１通路４ｃ及び第２通路４ｄに仕切られる。イオン発生装置１５の放電電極１６は第１通路４ｃに臨んで配置される。静電霧化装置１０の放電電極１１は第２通路４ｄに臨んで配される。これにより、吹出口３はプラスイオンを含む空気を送出する第１吹出部３ａと、帯電微粒子水を含む空気を送出する第２吹出部３ｂとに仕切られる。
【００４４】
図５は図４のＢ−Ｂ断面図を示している。第２通路４ｄの背後には分岐路８が設けられる。分岐路８は第２通路４ｄに対して放電電極１１の上流で開口部８ａを介して分岐し、下流で開口部８ｂを介して合流する。静電霧化装置１０の放熱フィン１４は分岐路８に臨んで配置される。このため、矢印Ｄ３に示すように第２通路４ｄを流通する気流の一部が矢印Ｄ４に示すように開口部８ａから分岐路８に流入する。
【００４５】
これにより、放熱フィン１４が分岐路８を流通する気流と熱交換して放電電極１１が冷却される。放電電極１１から発生する帯電微粒子水は第２通路４ｄに放出され、分岐路８を流通して開口部８ｂから第２通路４ｄに流入する気流と合流する。そして、帯電微粒子水を含む空気が第２吹出部３ｂから室内に送出される。
【００４６】
また、第２通路４ｄを流通する気流の一部が分岐路８を流通するため、放電電極１１上を流通する空気の風速が低下する。放電電極１１上を流通する空気の風速が大きいと放電電極１１上に結露による水が付きにくく、放電電極１１から発生する帯電微粒子水が減少する。このため、放電電極１１上を流通する空気の風速を低下させることにより、帯電微粒子水を増加させることができる。
【００４７】
本実施形態によると、第１実施形態と同様に室内の殺菌効果を向上させることができる。また、第２通路４ｄに対して放電電極１１の上流で分岐して下流で合流する分岐路８に放熱フィン１４が臨んで配されるので、放電電極１１上を流通する空気の風速が低下して帯電微粒子水を増加させることができる。従って、室内の殺菌効果をより向上させることができる。
【００４８】
また、仕切板６により第１、第２通路４ｃ、４ｄに仕切られるため、プラスイオンと帯電微粒子水との衝突による帯電微粒子水の減少を抑制することができる。
【００４９】
第１〜第３実施形態において、イオン発生装置１５及び静電霧化装置１０を継続的に同時に駆動しているが、所定の時期に一方を停止してもよい。例えば、静電霧化装置１０を停止してプラスイオンを所定期間送出する第１送出期間と、第１送出期間の経過後にイオン発生装置１５を停止して帯電微粒子水を所定期間送出する第２送出期間とを設けてもよい。尚、第１送出期間と第２送出期間とを繰り返し行ってもよい。
【００５０】
これにより、プラスイオンが室内に拡散した後に送出される帯電微粒子水がプラスイオンに引き寄せられて拡散する。従って、上記と同様の効果を得ることができる。また、吹出口３近傍でプラスイオンと帯電微粒子水との衝突による帯電微粒子水の減少を抑制することができる。
【００５１】
この時、第１送出期間を長くすると、第１送出期間で室内に拡散したプラスイオンに対し、第２送出期間で送出された帯電微粒子水が離れてプラスイオンに引き寄せられない場合が生じる。このため、第１送出期間でイオン発生装置１５及び静電霧化装置１０の駆動によりプラスイオン及び帯電微粒子水を同時に送出してもよい。これにより、第１送出期間で帯電微粒子水がプラスイオンから大きく離れないため室内に帯電微粒子水を拡散させることができる。また、第２送出期間では吹出口３近傍のプラスイオンと帯電微粒子水との衝突による帯電微粒子水の減少を抑制することができる。
【００５２】
また、第１〜第３実施形態において、イオン送出装置１を搭載した空気清浄機２０について説明しているが、これに限られない。例えば、冷暖房機、加湿器、除湿機等であってもよく、イオン送出装置１を搭載した空気調節装置であればよい。
【００５３】
次に、図６、図７は第４実施形態のヘアドライヤ３０を示す斜視図及び正面図を示している。本実施形態は前述の図４、図５に示す第３実施形態と同様のイオン送出装置１を筐体３１内に備えている。
【００５４】
筐体３１内には送風ダクト４（図４参照）が形成され、筐体３１の正面上部に第１吹出部３ａ及び第２吹出部３ｂを有する吹出口３が開口する。筐体３１の下方には使用者が把持する把持部３２が設けられ、把持部３２にはヘアドライヤ３０の操作を行う操作部３３が設けられる。
【００５５】
図８はヘアドライヤ３０の構成を示すブロック図である。ヘアドライヤ３０は各部を制御する制御部３４を備え、制御部３４には送風機５、静電霧化装置１０、イオン発生装置１５、ヒータ３５及び操作部３３が接続される。送風機５、静電霧化装置１０、イオン発生装置１５及び送風ダクト４（図４参照）によってイオン送出装置１が構成される。尚、送風機５をプロペラファンにより形成してもよい。
【００５６】
ヒータ３５は第２通路４ｄ（図４参照）内に配され、第２通路４ｄ内を流通する空気を昇温する。
【００５７】
上記構成のヘアドライヤ３０において、ヘアドライヤ３０の運転が開始されると送風機５及びヒータ３５が駆動される。これにより、吹出口３の第２吹出部３ｂから使用者の髪に温風が吹き付けられる。また、所定の操作によってヒータ３５を停止して使用者の髪に冷風が吹き付けられる。
【００５８】
また、静電霧化装置１０を停止してイオン発生装置１５を駆動した第１送出期間と、イオン発生装置１５を停止して静電霧化装置１０を駆動した第２送出期間とが繰り返し行われる。第１送出期間ではイオン発生装置１５の駆動によってプラスイオンが第１吹出部３ａから所定期間送出される。これにより、使用者の髪がマイナス電荷に帯電している場合にプラスイオンによって除電される。
【００５９】
第２送出期間では静電霧化装置１０の駆動によって帯電微粒子水が第２吹出部３ｂから所定期間送出される。これにより、帯電微粒子水が除電された使用者の髪に行き届き、使用者近傍の殺菌及び使用者の髪の保湿が行われる。
【００６０】
また、帯電微粒子水の照射によって使用者の髪がマイナス電荷に帯電すると、第１送出期間に移行してプラスイオンにより使用者の髪が除電される。
【００６１】
本実施形態によると、イオン発生装置１５により空気中に放出されたプラスイオンと静電霧化装置１０により発生した帯電微粒子水とを送風機５により送出するので、プラスイオンにより除電された使用者の髪（被照射体）の表面に帯電微粒子水を導くことができる。これにより、使用者近傍や使用者の髪に帯電微粒子水が十分供給され、殺菌効果及び保湿効果を向上することができる。
【００６２】
また、第１送出期間で静電霧化装置１０を停止してプラスイオンを送出した後、第２送出期間でイオン発生装置１５を停止して帯電微粒子水を送出するので、マイナス電荷に帯電した使用者の髪を確実に除電した後に帯電微粒子水を供給することができる。従って、殺菌効果及び保湿効果をより確実に向上することができる。また、プラスイオンと帯電微粒子水との衝突による帯電微粒子水の減少を抑制することができる。
【００６３】
尚、第１送出期間を長くすると、使用者の近傍がプラス電荷に帯電して使用者が不快と感じる場合が生じる。このため、第１送出期間でイオン発生装置１５及び静電霧化装置１０の駆動によりプラスイオン及び帯電微粒子水を同時に送出してもよい。これにより、第１送出期間でマイナス電荷を除電する際に使用者の近傍がプラス電荷に帯電されることを抑制することができる。また、第２送出期間では吹出口３近傍のプラスイオンと帯電微粒子水との衝突による帯電微粒子水の減少を抑制することができる。
【００６４】
本実施形態において、イオン送出装置１を搭載して使用者に向けて空気を送出するヘアドライヤ３０について説明しているが、これに限られない。例えば、美顔器等であってもよく、イオン送出装置１を搭載した理美容機器であればよい。
【産業上の利用可能性】
【００６５】
本発明によると、イオン発生装置及び静電霧化装置を有するイオン送出装置を搭載した空気清浄機、冷暖房機、加湿器、除湿機等の空気調節装置や、ヘアドライヤ、美顔器等の理美容機器に利用することができる。
【符号の説明】
【００６６】
１    イオン送出装置
２    吸込口
３    吹出口
４    送風ダクト
４ａ  吸気路
４ｂ  排気路
４ｃ  第１通路
４ｄ  第２通路
５    送風機
６    仕切板
７    連通路
８    分岐路
１０    静電霧化装置
１１    放電電極
１２    対向電極
１３    ペルチェ素子
１４    放熱フィン
１５    イオン発生装置
１６    放電電極
２０    空気清浄機
２１、３１  筐体
２２    フィルタ
３２    把持部
３３    操作部
３４    制御部
３５    ヒータ
【図１】
0005261550.tif 000002
【図２】
0005261550.tif 000003
【図３】
0005261550.tif 000004
【図４】
0005261550.tif 000005
【図５】
0005261550.tif 000006
【図６】
0005261550.tif 000007
【図７】
0005261550.tif 000008
【図８】
0005261550.tif 000009